(57)【要約】  本発明は、制限エリア内の少なくとも１人の不認可のユーザを視覚的に識別することを可能にする情報要素をワイヤレス制御デバイス（１１５）に提供する方法に関し、制限エリアは、画像センサ（１１２）と、ユーザ（１１０）によって携行されるウェアラブルデバイス（１１１）の中に記憶されたデータを読み出すことを可能にする近距離無線技術をサポートする電子リーダ（１１３）とを少なくとも装備したゲートレス制御エリアを含む。方法は、ゲートレス制御エリアを通過しているときに検出された少なくとも１人のユーザのデジタル画像を、画像センサにより提供するステップ（１２０、１２１）、検出されたユーザの、提供されたデジタル画像から、第１の顔検出データセットを抽出するステップ、前記検出されたユーザによって携行されるウェアラブルデバイスに記憶された第２の顔検出データセットを電子リーダにより提供するステップ（１２２、１２３）、第１の顔検出データセットに関連付けられたユーザが、第２の顔検出データセットに関連付けられたユーザと同一であるかどうかを決定するために、第１および第２の顔検出データセットに顔認識を適用するステップ（１３０）であって、検出されたユーザは、同一である場合、認可されているであると識別され、それ以外の場合は不認可であると識別される、ステップ（１３０）、不認可のユーザの視覚的識別を容易にするように適合された情報項目を含むメッセージをワイヤレス制御デバイスに送るステップ（１２６）を含む。
2020524928.tif 000002
【特許請求の範囲】
【請求項１】
制限エリア内の少なくとも１人の不認可のユーザを、視覚的に識別することを可能にする情報要素をワイヤレス制御デバイス（１１５）に提供するための方法であって、制限エリアは、画像センサ（１１２）と、ユーザ（１１０）によって携行されるウェアラブルデバイス（１１１）の中に記憶されたデータを読み出すことを可能にする近距離無線技術をサポートする電子リーダ（１１３）とを少なくとも装備したゲートレス制御エリアを含み、方法は、
ゲートレス制御エリアを通過しているときに、検出された少なくとも１人のユーザのデジタル画像を、画像センサにより提供するステップ（１２０、１２１）、
検出されたユーザの、提供されたデジタル画像から、第１の顔検出データセットを抽出するステップ、
前記検出されたユーザによって携行されるウェアラブルデバイスに記憶された第２の顔検出データセットを、電子リーダにより提供するステップ（１２２、１２３）、
第１の顔検出データセットに関連付けられたユーザが、第２の顔検出データセットに関連付けられたユーザと同一であるかどうかを決定するために、第１および第２の顔検出データセットに顔認識を適用するステップ（１３０）であって、検出されたユーザは、同一である場合、認可されていると識別され、それ以外の場合は不認可と識別される、ステップ（１３０）、
不認可のユーザの視覚的識別を容易にするように適合された情報項目を含むメッセージをワイヤレス制御デバイスに送るステップ（１２６）
を含む、方法。
【請求項２】
少なくとも１つのワイヤレス制御デバイスの位置特定を可能にするデータを受信するステップを含む、請求項１に記載の方法。
【請求項３】
少なくとも検出されたユーザによって携行される少なくともウェアラブルデバイスに収容されているアクセス権データを、電子リーダにより提供するステップ、
提供されたアクセス権データに基づいて、提供されたアクセス権データが、検出されたユーザが制限エリアに入ることを可能にしない場合、ユーザを不認可であると識別するステップ
を含む、請求項１または２に記載の方法。
【請求項４】
電子リーダ（１１３）およびウェアラブルデバイス（１１１）が通信するための近距離技術として、超広帯域（ＵＷＢ）が使用される、請求項１から３のいずれか一項に記載の方法。
【請求項５】
不認可のユーザの位置特定を可能にするデータを受信するステップと、前記位置特定データを表す情報要素を生成するステップと、この情報要素をワイヤレス制御デバイス（２３０、２３１）に送るステップとを含む、請求項１から４のいずれか一項に記載の方法。
【請求項６】
第１および第２の検出データセットが、事前定義された顔特徴のセットに対応する、請求項１から５のいずれか一項に記載の方法。
【請求項７】
第２の顔検出データセットが、ウェアラブルデバイスの中に安全に記憶される、請求項６に記載の方法。
【請求項８】
ゲートレス制御システムを通過している１人または何人かのユーザの存在を検出するために、画像センサ（１１２）によって捕捉されたデジタル画像を受信し、分析するステップを含む、請求項１から７のいずれか一項に記載の方法。
【請求項９】
ワイヤレス制御デバイス（１１５）に送信される（１２６）１つの情報項目が、画像センサ（１１２）によって捕捉された写真から抽出された写真ＩＤのフォーマットを有する写真である、請求項１から８のいずれか一項に記載の方法。
【請求項１０】
ワイヤレス制御デバイス（１１５）に送信される（１２６）１つの情報項目が、警備員が不認可のユーザの外観を認識することを可能にするように適合される、請求項１から９のいずれか一項に記載の方法。
【請求項１１】
複数の不認可のユーザに関係する情報項目が単一のメッセージでワイヤレス制御デバイスに送信されるように、管理報告（１２６）をフォーマットするステップを含む、請求項１から１０のいずれか一項に記載の方法。
【請求項１２】
制限エリアが少なくとも２つの部分エリアからなり、所与の不認可のユーザに関連付けられた１つまたはいくつかの情報要素が、前記関連付けられた不認可のユーザが位置特定された部分エリアに存在するワイヤレス制御デバイスに送信される、請求項１から１１のいずれか一項に記載の方法。
【請求項１３】
請求項１から１２のいずれか一項に記載の方法のステップを実行する手段を備えた、データ処理システム。
【請求項１４】
プログラムがコンピュータによって実行されたときに、コンピュータに請求項１から１２のいずれか一項に記載の方法のステップを実行させる命令を備えた、コンピュータプログラム製品。
【請求項１５】
コンピュータによって実行されたときに、コンピュータに請求項１から１２のいずれか一項に記載の方法のステップを実行させる命令を備えた、コンピュータ可読記憶媒体。
【発明の詳細な説明】
【技術分野】
【０００１】
本発明は、制限エリア内の不認可のユーザを識別することを可能にする情報要素を、デバイスに提供するための方法に関する。本発明は、ゲートレス制御システムの分野に適用可能である。
【背景技術】
【０００２】
ゲートレスおよびハンドフリーのアクセス制御システムは、輸送およびアクセス環境に関する新しい動向である。ゲートが存在しないと、ユーザが券をタップまたは提示する必要がないため、ユーザに利便性がもたらされる。さらに、ユーザまたは乗客のスループットを最大にし、ボトルネックを回避する。
【０００３】
ユーザが移動する（またはアクセスする）権利は、一般に、無線周波数、カメラ、ウェアラブルデバイス（ｗｅａｒａｂｌｅ  ｄｅｖｉｃｅ）、スマート技術または他の技術の使用に基づくリモート機構を通じて検出される。
【０００４】
ゲートレスシステムの欠点の１つは、認可されているユーザのみに対して開く仕切りなどの制限エリアに不正なユーザが入るのを阻止する直接的なやり方がないことである。したがって、一般には、１人または何人かの警備員（ｃｏｎｔｒｏｌ  ｏｆｆｉｃｅｒ）が、制限エリアにアクセスするユーザの権利を検査する役割を担う。一人の警備員が所与の制限エリア内にいるすべてのユーザを検査するのは難しいため、この作業は煩瑣で非効率的であり得る。また、不認可のユーザは、そのユーザが制限エリアを出るまたは制限エリアに入る前に、適切なタイミングで検査される必要がある。
【発明の概要】
【課題を解決するための手段】
【０００５】
本発明は、制限エリア内の少なくとも１人の不認可のユーザを視覚的に識別することを可能にする情報要素をワイヤレス制御デバイスに提供するための方法に関する。制限エリアは、画像センサと、ユーザによって携行されるウェアラブルデバイスの中に記憶されたデータを読み出すことを可能にする近距離無線技術をサポートする電子リーダとを少なくとも装備したゲートレス制御エリアを含む。方法は以下のステップを含む：
−  ゲートレス制御エリアを通過しているときに、検出された少なくとも１人のユーザのデジタル画像を、画像センサにより提供するステップ、
−  検出されたユーザの、提供されたデジタル画像から、第１の顔検出データセットを抽出するステップ、
−  前記検出されたユーザによって携行されるウェアラブルデバイスに記憶された第２の顔検出データセットを、電子リーダにより提供するステップ、
−  第１の顔検出データセットに関連付けられたユーザが、第２の顔検出データセットに関連付けられたユーザと同一であるかどうかを決定するために、第１および第２の顔検出データセットに顔認識を適用するステップであって、検出されたユーザは、同一である場合、認可されていると識別され、それ以外の場合は不認可であると識別される、ステップ、
−  不認可のユーザの視覚的識別を容易にするように適合された情報項目を含むメッセージをワイヤレス制御デバイスに送るステップ。
【０００６】
一実施形態によれば、方法は、少なくとも１つのワイヤレス制御デバイスの位置特定を可能にするデータを受信するステップを含む。
【０００７】
一例によれば、方法は以下のステップを含む：
−  少なくとも検出されたユーザによって携行される少なくともウェアラブルデバイスに収容されているアクセス権データを、電子リーダにより提供するステップ、
−  提供されたアクセス権データに基づいて、提供されたアクセス権データが、検出されたユーザが制限エリアに入ることを可能にしない場合、ユーザを不認可であると識別するステップ。
【０００８】
一例では、電子リーダおよびウェアラブルデバイスが通信するための近距離技術として、超広帯域が使用される。
【０００９】
一例によれば、方法は、不認可のユーザの位置特定を可能にするデータを受信するステップと、前記位置特定データを表す情報要素を生成するステップと、この情報要素をワイヤレス制御デバイスに送るステップとを含む。
【００１０】
一例によれば、第１および第２の検出データセットは、事前定義された顔特徴のセットに対応する。
【００１１】
一例によれば、第２の顔検出データセットは、ウェアラブルデバイスの中に安全に記憶される。
【００１２】
一例によれば、方法は、ゲートレス制御システムを通過している１人または何人かのユーザの存在を検出するために、画像センサによって捕捉されたデジタル画像を受信し、分析するステップを含む。
【００１３】
一例によれば、ワイヤレス制御デバイスに送信される１つの情報項目は、画像センサによって捕捉された写真から抽出された写真ＩＤのフォーマットを有する写真である。
【００１４】
一例によれば、ワイヤレス制御デバイスに送信される１つの情報項目は、警備員が不認可のユーザの外観を認識することを可能にするように適合される。
【００１５】
一例によれば、方法は、複数の不認可のユーザに関係する情報項目が単一のメッセージでワイヤレス制御デバイスに送信されるように、管理報告（ｃｏｎｔｒｏｌ  ｒｅｐｏｒｔ）をフォーマットするステップを含む。
【００１６】
一例によれば、制限エリアは少なくとも２つの部分エリアからなり、所与の不認可のユーザに関連付けられた１つまたはいくつかの情報要素が、前記関連付けられた不認可のユーザが位置特定された部分エリアに存在するワイヤレス制御デバイスに送信される。
【００１７】
一例によれば、制限エリアは複数の部分エリアに分割され、所与のユーザに帰属されるアクセス権を、そのユーザの位置特定に依存して検証するステップを含む。
【００１８】
また、本発明は、上で説明された方法のステップを実行する手段を備えたデータ処理システムにも関する。
【００１９】
また、本発明は、プログラムがコンピュータによって実行されたときに、コンピュータに上で説明された方法のステップを実行させる命令を備えたコンピュータプログラム製品にも関する。
【００２０】
また、本発明は、コンピュータによって実行されたときに、コンピュータに上で説明された方法のステップを実行させる命令を備えたコンピュータ可読記憶媒体にも関する。
【００２１】
本発明のこの他の特徴および利点は、説明のための非制限的な例として与えられる本発明の好ましい一実施形態の詳細な説明を以下の図面と併せて読むと、より明瞭に理解できよう。
【図面の簡単な説明】
【００２２】
【図１】制限エリア内に存在する不認可のユーザを識別するのを支援するように適合されたゲートレスアクセス制御システムの機能を示すシーケンス図である。
【図２】４つの部分エリアに分割され、そこで３人の不認可のユーザが識別されている制限エリアを示す図である。
【図３】制限エリア内の不認可のユーザを識別するために使用され得る集中システムアーキテクチャの一例を提供する図である。
【図４】いくつかの情報要素が表示されたワイヤレス制御デバイスを表す図である。
【発明を実施するための形態】
【００２３】
本明細書の記載において、「制限エリア」という表現は、アクセスが制限されたエリアを言う。これは、認可されている者のみが、このエリアに入る、滞在する、および／または自由に進むことを可能にされることを意味する。制限エリアに入る、滞在する、および／またはその中に進む者は、ユーザと呼ばれる。したがって、認可されているユーザと不認可のユーザとがいる可能性がある。
【００２４】
「ゲートレス制御エリア」という表現は、一般に制限エリア内に位置するエリアであって、そのエリアを通過するユーザが、制限エリアにアクセスすることが認可されているか、それとも認可されていないかを検証することを可能にするエリアを言う。
【００２５】
「ゲートレス入口エリア」は、ゲートレス制御エリアの特定の例を指す。ゲートレス入口エリアは、ユーザが所与の制限エリアにアクセスすることを可能にする。一例によれば、１つまたはいくつかのゲートレス入口エリアがセットアップされて、ユーザが所与の制限エリアにアクセスしたい場合にそれらのうち１つを通る必要があるようにする。
【００２６】
さらに、「ゲートレス制御エリア」は、制限エリアにアクセスするために閉じられたゲートを開く必要なく、ユーザが自由に移動できることから、ゲートレスと称される。
【００２７】
ユーザは、ユーザがゲートレス入口エリアを通過し、アクセス制御システムによってそのように識別されたときに、検出されたと称される。
【００２８】
以下の説明では、ワイヤレス制御デバイスは、ワイヤレスインターフェースでデータを受信し、データをデバイスを携行する警備員に対して表示することができるデバイスを言う。これは、ハードウェアとソフトウェアとの組み合わせによって実現されることが可能であり、Ｗｉ−Ｆｉ、Ｂｌｕｅｔｏｏｔｈ、ユニバーサルモバイルテレコミュニケーションシステム（ＵＭＴＳ）、ＬＴＥ（Ｌｏｎｇ  Ｔｅｒｍ  Ｅｖｏｌｕｔｉｏｎ）、モバイル通信のためのグローバルシステム（ＧＳＭ）などの１つまたはいくつかのワイヤレス技術をサポートする。
【００２９】
図１は、制限エリア内に存在する不認可のユーザを識別するのを支援するように適合されたゲートレスアクセス制御システムの機能を示すシーケンス図である。
【００３０】
この例によれば、アクセス制御システムは、ゲートレス制御エリア１００および制限エリア１０１を備える。
【００３１】
ゲートレス制御エリア１００は、画像センサ１１２を装備し、これによりゲートレス制御エリア１００を通過しているユーザの写真を撮ることが可能になる。また、ゲートレス制御エリア１００は、ユーザによって携行されるウェアラブルデバイスの中に記憶されたデータを読み出すように適合された電子リーダ１１３も備える。互いと通信するために、電子リーダおよびウェアラブルデバイスは、少なくとも近距離無線技術をサポートしている。本発明の一実施形態では、超広帯域（ＵＷＢ）がこの目的のために選択され得る。
【００３２】
図１に提供されるシーケンス図では、ユーザ１１０およびユーザのウェアラブル制御デバイス１１１も、ゲートレス制御エリア１００を通過するものとして表されている。
【００３３】
画像センサ１１２は、ゲートレス制御エリアを通過するユーザのデジタル画像を捕捉する。例えば、画像センサは、ゲートレス制御エリア内の固定された位置に置かれたカメラである。カメラは、ゲートレス制御エリアを通過する各ユーザの写真を１枚撮影するか、またはユーザのいくつかの画像が捕捉された写真を撮影するように構成され得る。例えば、画像センサは、ゲートレス制御エリア内の移動を検出することが可能であり、移動が検出されたとき、デジタル画像の獲得がトリガされる。
【００３４】
次いで、獲得されたデジタル画像は、リモートサーバ１１４に転送される１２１。リモートサーバは、どこに位置していてもよく、画像センサ１１２、電子リーダ１１３、およびコントローラのデバイス１１５とデータを交換することができる。
【００３５】
１つの実施形態によれば、リモートサーバ１１４は、画像センサ１１２から受信したデジタル画像を分析することができる。詳細には、リモートサーバは、ゲートレス制御システムを通過するユーザの存在を検出するように構成され得る。例えば、所与のデジタル画像に３人のユーザが捕捉された場合、検出されたユーザの数が推定される。
【００３６】
異なる種類のデータを抽出するための分析も行われ得る。本発明によれば、顔認識技術が使用され、認可されているユーザを不認可のユーザから区別する。この目的のために、リモートサーバは、検出された各ユーザの顔を分離し、顔ごとに、例えば事前定義された顔特徴のセットを備える第１の顔検出データセットを抽出するように適合され得る。
【００３７】
次いで、電子リーダ１１３が、検出された各ユーザによって携行されるウェアラブルデバイス１１１に記憶されたデータを読み出す。例えば、ウェアラブルデバイスは、その所有者の生体データを提供される。好ましい一実施形態では、ウェアラブルデバイス所有者に対応してその中に提供された第２の顔検出データセットが、ウェアラブルデバイスの中に安全に記憶される。この機密性のある（ｓｅｎｓｉｂｌｅ）情報は、暗号化された形態で格納され得る。この第２の顔検出データセットの暗号化および／または復号は、その場合、ウェアラブルデバイス１１１に埋め込まれたセキュアなエンクレーブによって制御され得る。したがって、第２の顔検出データセットは、ウェアラブルデバイス１１１から電子リーダ１１３によって取得され１２２、次いでリモートサーバ１１４に転送される１２３。
【００３８】
この段階で、リモートサーバ１１４は、検出されたユーザごとに、第１および第２の顔検出データセットに顔認識アルゴリズムを適用することができる。
【００３９】
当業者は、最新の技術に属する様々な顔認識アルゴリズムを適用することができる。例えば、第１および第２の顔検出データセットは、選択された顔特徴に対応する。顔特徴の一例は、ユーザの眼の位置および大きさである。２つのセットを分析することにより、画像センサ１１２によって捕捉されたデジタル画像上で顔が検出されたユーザが、ウェアラブルデバイスの所有者に相当するかどうかを決定することが可能である。それに代えて、またはその補完として、他の既存の技術が使用されてよく、それは、次の非制限的なリスト：３次元認識、皮膚テクスチャ分析、固有顔分析またはニューラルネットワーク分析、に挙げられる技術の中から選択され得る。
【００４０】
第１および第２の顔検出データセットに適用される顔認識アルゴリズムは、第１の顔検出データセットに関連付けられたユーザが、第２の顔検出データセットに関連付けられたユーザと同一であるかどうかを決定する１３０ことを可能にする。同一である場合、検出されたユーザは認可されているとして識別される。それに対し、第１の顔検出データセットに関連付けられた検出されたユーザが、第２の顔検出データセットに関連付けられた検出されたユーザと同一でない場合、ユーザは不認可のとして識別される。
【００４１】
別の事例もアクセス制御システムによって考慮され得る。ユーザがウェアラブルデバイスを携行せずにゲートレス制御エリアを通るときには、１つのデータセット、すなわち、捕捉されたデジタル画像から抽出されるデータセットしか入手できないため、顔認識アルゴリズムを適用することができない。
【００４２】
そして、リモートサーバ１１４は、警備員が不認可のユーザを視覚的に識別することを容易にする、１つまたはいくつかの情報項目を含んだメッセージを用意する１３１。メッセージは、次いで、警備員に割り当てられたワイヤレス制御デバイスに送信される１２６。
【００４３】
ワイヤレス制御デバイスに送信１２６される１つまたはいくつかの情報項目は、様々な種類であり得る。例えば、画像センサ１１２によって捕捉された写真から抽出された写真ＩＤのフォーマットを有する写真。別の例は、ユーザの服装など、不認可のユーザの外見に関する情報を提供するものである。例えば、ある情報項目は、不認可のユーザがスカートかそれともズボンを履いているかを示し、別のデータ項目は、不認可のユーザが着ているコートの色を提供する。これらのデータ項目は、画像センサ１１２によって捕捉されたデジタル写真に人工知能処理を適用することによってリモートサーバ１１４によって生成され得る。
【００４４】
何人かの不認可のユーザが識別された場合、管理報告１２６は、複数の不認可のユーザに関係する情報項目が、単一のメッセージでワイヤレス制御デバイスに送信されるようにフォーマットされ得る。
【００４５】
別の例によれば、アクセス権データが、ウェアラブルデバイス１１１から電子リーダ１１３によって取得され１２４、次いでリモートサーバ１１４に送信される１２５。
【００４６】
例えば、制限エリアが地下鉄の駅である場合、アクセス権データは、ユーザが必要なサブスクリプションフィーを払うことによって駅に入ることを認可されていることを示すサブスクリプション情報に相当してよい。したがって、提案される機構は、第１および第２の機構のうちの少なくとも１つの検証機構を含むように適合され得る。第１は、制限エリアに入るユーザがウェアラブルデバイスの真正の所有者であることを識別することを可能にし、第２の機構は、ユーザのアクセス権を検証することを可能にする。
【００４７】
代替例によれば、サーバ１１４は、第１の顔検出データセットに関連付けられた、検出されたユーザが、前記サーバ１１４からアクセス可能な外部データベースの内部に記憶された第２の顔検出データセットに関連付けられたユーザと同一であるかどうかを決定できるように構成され得る。その場合は、ユーザがウェアラブルデバイス１１１を携行する必要も、電子リーダ１１３を使用する必要もない。
【００４８】
図２は、４つの部分エリアに分割され、そこで３人の不認可のユーザが識別されている制限エリアを示す。
【００４９】
この例では、制限エリア２００は、４つの部分エリア２１０、２２０、２３０、および２４０を備える。所与の部分エリアに入るために、ユーザは、ゲートレス入口エリアを横断しなければならない。より正確には、部分エリア２１０に入るには、ユーザは、ゲートレス入口エリア２１４または２３３を通らなければならない。同様に、部分エリア２２０に入るには、ユーザは、ゲートレス入口エリア２２４または２４３を通らなければならない。部分エリア２３０に入るには、ユーザは、ゲートレス入口エリア２３３を通らなければならない。部分エリア２４０に入るには、ユーザは、ゲートレス入口エリア２４３または２４４を通らなければならない。
【００５０】
この例によれば、４つの部分エリア２１０、２２０、２３０、および２４０の各々にユーザが存在する。これらのユーザのうちの何人かは、認可されている２１１、２１２、２２１、２２２、２４１として識別され、何人かの他のユーザは、不認可である２２３、２３１、２４２として識別されている。さらに、２人の警備員がワイヤレス制御デバイス２１３、２３２を装備している。第１の警備員は部分エリア２１０に存在し、第２の警備員は部分エリア２３０に存在している。部分エリア２２０および２４０には警備員が存在しないことに留意すべきである。
【００５１】
ユーザは、ゲートレス入口エリアを通過するときに検出される。ゲートレス入口は、画像センサと、ユーザによって携行されるウェアラブルデバイスに記憶されたデータを読み出すことができる電子リーダとを少なくとも装備している。本発明によれば、検出されたユーザが、所与の制限エリア、または所与の制限エリアの一部分である所与の部分エリアに入ることが認可されているか、または認可されていないかが検証される。これは、図１を用いて説明されたものと同じ処理を使用して実現され得る。
【００５２】
この例では、いずれもウェアラブルデバイスを携行している２人の認可されているユーザ２１１、２１２が、部分エリア２１０に存在する。これらのユーザは、所与のゲートレス入口エリアを通るときに検出され、次いで認可されているとして識別された。この目的のために、所与のゲートレス入口エリアの画像センサによって捕捉された写真が、ユーザが、ユーザに関連付けられたウェアラブルデバイスの正当な所有者であると識別されることを可能にした。
【００５３】
別のユーザ２３１は、入口エリア２１４を通るとき２５０に最初に検出され、不認可であると識別された。１つの実施形態では、ユーザ２３１が部分エリア２１０にいて、不認可であると識別されたときに、例えば、検出されたユーザに関係するデータが管理されるサーバによって情報要素が生成される。この情報要素は、以下の中から選択され得る：
−  不認可のユーザの顔を含む、写真識別文書にあるものと同様の写真；
−  不認可のユーザがどのような服装をしているかの説明、この種の情報は、画像センサによって取得されたデジタル写真の分析から取得される；
−  サブスクリプションの有無に関する情報；
−  不認可のユーザが位置特定された部分エリアの識別子。
【００５４】
上記のリストは非制限的なものであり、例示の目的のみで提供される。一実施形態によれば、次いで、１つまたはいくつかの情報要素が、部分エリア２１０内で位置特定されたワイヤレス制御デバイス２１３に送信され得る。この段階で、警備員は、不認可のユーザがこの部分エリアに入ったことに気づき、そのデバイスに表示された受信した情報要素が、不認可のユーザを視覚的に識別することを可能にし、必要な場合は追加的な検証を行う、および／または罰金を発行する。
【００５５】
不認可のデバイスは、次いでゲートレス入口エリア２３３を通り２５０、部分エリア２３０に到達する。不認可のユーザは部分エリアが変化する際に検出されるので、部分エリア２３２に存在する警備員のワイヤレス電子デバイス２３２は、少なくとも、不認可のユーザ２３１の視覚的識別を容易にする少なくとも１つの情報要素を含んだアラートを受信する。
【００５６】
不認可のユーザ２２３が部分エリア２２０に存在し、不認可のユーザ２４２が部分エリア２４０に存在するが、そこには警備員が存在しない。その場合、不認可のユーザが位置特定された部分エリアを識別する情報要素を含むアラートが、ワイヤレス電子デバイス２１３および２３２に送信され得る。警備員は、次いでそれらの部分エリアに向かって移動することを決定し得る。
【００５７】
本発明の一態様によれば、複数の部分エリアに分割された制限エリアが、所与のユーザの位置特定に依存する、ユーザに帰属されるアクセス権を正確に扱うことができる。例えば、所与のユーザは、彼が部分エリア２１０に行くことを可能にするが、部分エリア２３０に行くことは可能にしないアクセス権を有し得る。これは、例えば、部分エリア２１０内で位置特定されたときにはゲートレスアクセスシステムによって認可されているとして識別され、部分エリア２３０内で位置特定されたときには不認可として識別されるユーザ２３１の場合である。
【００５８】
電子リーダおよびウェアラブルデバイスは、近距離技術を実現するために必要とされるハードウェアおよびソフトウェア構成要素のセットを埋め込んでいる。
【００５９】
１つの実施形態によれば、近距離通信技術は超広帯域（ＵＷＢ）通信である。この技術は、低いエネルギー消費のための高帯域幅通信を提供することに加えて、大きな利点を有する。
【００６０】
ＵＷＢ技術では、電気の短いベースバンドのパルスを使用して超広帯域幅の信号が生成される。この技術を使用して、ウェアラブルデバイスやタグを良好な精度で位置特定することが可能である。通例、１０メートルにおいて１５センチメートルが達成され得る。このことは、ゲートレス制御エリア内でユーザが検出されたときに、正確に位置特定され得ることを意味する。この技術によって取得される地理的座標に対応する情報要素が、警備員によって携行されるワイヤレス電子デバイスに送信され得る。一例として、ワイヤレス電子デバイスにインストールされたアプリケーションが、不認可のユーザの位置を地図上に表示することを可能にする。
【００６１】
本発明の一態様では、ゲートレス制御エリアに加えて、制限エリアは、少なくとも部分的に複数の近距離トランシーバによってカバーされ、それらを位置特定し、それらの移動を追いかけることを可能にする。不認可のユーザの位置特定情報の更新は、警備員によって携行されるワイヤレス電子デバイスに送信され得る。
【００６２】
図３は、制限エリア内の不認可のユーザを識別するために使用され得る集中システムアーキテクチャの一例を提供する。
【００６３】
この例では、３つのゲートレス制御エリア３０２、３０４、３０５が制限エリア内に配備されている。これらのゲートレス制御エリアは、画像センサ３１０、３２０、３３０、および電子リーダ３１１、３２１、３３１を備える。さらに、いくつかのワイヤレス電子デバイス３０１、３０３、例えばスマートフォンが、制限エリア内に配備される。ユーザがゲートレス制御エリアを横断しているときに、データが捕捉され、リモートサーバ３００に送信される。例えば、デジタル画像が画像センサによって獲得され、ユーザによって携行されるウェアラブルデバイス内に収容されている生体データがリーダによって取得され得る。リモートサーバ３００は、これらのデータを中央に集め、１つまたはいくつかの処理を適用して不認可のユーザを識別する役目を担う。リモートサーバ３００はまた、ワイヤレス電子デバイス３０１、３０３に送信される情報要素を生成する役割も担う。リモートサーバ３００は、有線および、または無線ネットワークを通じて他のデバイスと通信することができる。
【００６４】
このアーキテクチャは、例示の目的のみで提供されるものであり、当業者は、他の代替例が考案され得ることを認識されよう。例えば、デジタル画像および／またはアクセス権に基づいて不認可のユーザの識別を可能にする処理は、それらのうちのいくつかについては、リーダ内または画像センサ内でローカルに扱われ得る。さらに、図３には、１つのみのサーバ３００を表している。しかし、上述の機能を行うためにいくつかのサーバが使用され得る。
【００６５】
図４は、いくつかの情報要素が表示されたワイヤレス制御デバイスを表す。
【００６６】
この例によれば、２人の不認可のユーザがゲートレスアクセス制御システムによって識別されている。いくつかの情報要素が警備員のワイヤレス制御デバイスに送信されている。
【００６７】
第１のユーザ４１０については、写真ＩＤおよび３つの追加的なデータ項目４１１、の４つの情報要素が警備員に受信されている。
【００６８】
第２の不認可のユーザ４２０については、写真ＩＤおよび３つの追加的なデータ項目４２１、の４つの情報要素が警備員に受信されている。
【００６９】
受信された情報項目に基づいて、警備員は、制限エリア内の不認可のユーザを容易に識別し、必要な措置を取ることができる。例えば、不認可のユーザ４１０は、盗まれたウェアラブルデバイスを所持しているため危険であり得る。したがって、警備員は、支援を要請し、４１０を監督する前に不認可のユーザ４２０を管理することができる。
【図１】
2020524928.tif 000003
【図２】
2020524928.tif 000004
【図３】
2020524928.tif 000005
【図４】
2020524928.tif 000006
【国際調査報告】
2020524928.tif 000007
2020524928.tif 000008
2020524928.tif 000009